(57)【特許請求の範囲】
【請求項１】
画像を記録するための装置であって、
画像記録装置（１４；２０；３０、３１）と、
前記画像記録装置（１４；２０；３０、３１）の光軸の周りに配置される照明装置（１３；２１；６１）と、
さらなる画像記録装置（８０）と、を備え、
前記照明装置（１３；２１；６１）は前記画像記録装置（１４；２０；３０、３１）までの光の通過を容易にするための切り抜き部を有し、前記照明装置は複数の独立的に作動可能な照明部を有し、
前記画像記録装置（１４；２０；３０、３１）および前記照明装置（１３；２１；６１）は、前記画像記録装置の標本面（１１；２２）の同じ側に配置され、
前記標本面（１１；２２）から見られる前記照明装置（１３；２１；６１）の隣接する照明部（１３Ａ、１３Ｂ）の間の角度（１８）は、前記画像記録装置（１４；２０；３０、３１）の開口数によって画定される角度（１７）以下であり、
前記さらなる画像記録装置（８０）は、開口数、作動距離、倍率、および／または分解能の点で前記画像記録装置（１４；２０；３０、３１）と異なっており、
前記画像記録装置（１４；２０；３０、３１）に対して、前記さらなる画像記録装置は前記標本面（１１；２２）の反対側に配置されており、
さらなる照明装置（４０；５０）をさらに含み、前記さらなる照明装置（４０；５０）からの光は前記画像記録装置（１４；２０；３０、３１）のビーム経路に結合可能であり、及び／又は、追加の照明装置（９１）をさらに含み、この追加の照明装置の光は前記さらなる画像記録装置（８０）のビーム経路に結合可能である、装置。
【請求項２】
前記照明装置（１３；２１；６１）の隣接する照明部（１３Ａ、１３Ｂ）の間の前記角度（１８）は、前記画像記録装置（１４；２０；３０、３１）の前記開口数によって画定される前記角度（１７）より少なくとも１０％小さい、請求項１に記載の装置。
【請求項３】
前記複数の照明部は複数の光源素子（６１）を含む、請求項１または２に記載の装置。
【請求項４】
前記光源素子は、個々に、および／またはセグメントごとに作動可能である、請求項３に記載の装置。
【請求項５】
異なる光源素子はスペクトル範囲および／または偏光に関して種々の性質を有する、請求項３または４に記載の装置。
【請求項６】
前記照明装置は、面光源、およびいずれの場合にも前記面光源の一部分を薄暗くするための、選択的に作動可能な付影要素を含む、請求項１または２に記載の装置。
【請求項７】
前記照明装置は、内径（Ｒｉｎ）および外径（Ｒｏｕｔ）を有するリング状であり、前記内径（Ｒｉｎ）は前記切り抜き部を画定する、請求項１〜６のうちいずれか一項に記載の装置。
【請求項８】
前記さらなる照明装置は可動式光源素子を含む、請求項１〜７のうちいずれか一項に記載の装置。
【請求項９】
前記さらなる照明装置（５０）は複数の独立的に作動可能なさらなる照明部を含む、請求項１〜７のうちいずれか一項に記載の装置。
【請求項１０】
制御装置（１５）をさらに含み、前記制御装置は、さまざまな照明部を起動する目的で、異なる角度でおよび／または異なる方向から前記標本面（１１）における標本（１２）を照らすために前記照明装置（１３；２１；６１）を連続的に作動させるように、かつ前記照明装置（１３；２１；６１）のさまざまな作動に対して対応する複数の画像を得るために前記画像記録装置（１４；２０；３０、３１）を作動させるように構成される、請求項１〜９のうちいずれか一項に記載の装置。
【請求項１１】
前記制御装置（１５）は、前記複数の画像を組み合わせて結果画像を形成するようにさらに構成される、請求項１０に記載の装置。
【請求項１２】
前記制御装置（１５）は、以下、
−反射補正
−分解能の改良
−コントラストの改良
−標本のｚマップの判定
−位相コントラスト画像の判定
−被写界深度の改良
の１つまたは複数を組み合わせる時に実行するように構成される、請求項１１に記載の装置。
【請求項１３】
前記制御装置は、前記結果画像の品質を評価するように、かつ、前記評価に応じて、前記照明装置の連続的な作動および／または組み合わせ対象画像の選択を修正するように、さらに構成される、請求項１１に記載の装置。
【請求項１４】
画像を記録するための方法であって、
請求項１〜１３のうちいずれか一項に記載の装置を使用して複数の画像を記録することであって、前記装置の前記照明装置の異なる照明部は前記複数の画像のさまざまな画像に対して起動させる、記録することと、
前記複数の画像を組み合わせて、改良された画像性質を有する結果画像を形成することと、を含む、方法。
【発明の詳細な説明】
【背景技術】
【０００１】
本願は、画像を記録するための装置、および、対応する装置を利用する方法に関する。とりわけ、本願は、画像を記録するための装置、例えば、顕微鏡装置に関し、ここで、複数の個々の画像から、改良された結果画像を生じさせる。
【０００２】
多くの場合、記録される物体、例えば標本を照らすために、顕微鏡画像および巨視的画像の両方を記録する時に照明が使用される。その過程での照明が、画像が記録されるのと同じ方向からもたらされる場合、望まれていない反射が画像に発生する可能性がある。
【０００３】
従って、このような反射を補正可能とすることが望ましい。さらに、例えば、記録される画像のコントラストおよび／または分解能を、とりわけ、反射の結果としておよび／または光線によって分解能が低減される場合、全体的に増大させることができるようにすることが望ましい。
【０００４】
原理として、異なる方向から照らされる複数の画像を組み合わせることによって分解能を増大させることを達成する慣例が知られている。例として、フーリエタイコグラフィの場合、このことは、Ｓｈａｕｎ  Ｐａｃｈｅｃｏらによる「Ｔｒａｎｓｆｅｒ  ｆｕｎｃｔｉｏｎ  ａｎａｌｙｓｉｓ  ｉｎ  ｅｐｉ−ｉｌｌｕｍｉｎａｔｉｏｎ  Ｆｏｕｒｉｅｒ  ｐｔｙｃｈｏｇｒａｐｈｙ」、Ｏｐｔｉｃｓ  Ｌｅｔｔｅｒｓ  第４０巻、第２２号、２０１５年によって既知である。ここに提示される装置では、照明は、ビームスプリッタを介して対物レンズのビーム経路に反映されることで、標本の明視野照明を得る。
【０００５】
異なる方向から照らされた複数の画像を組み合わせることによって改良された結果画像を得るためのさらなるオプションは、例えば、本出願人による、独国特許出願公開第１０２０１４１１３２５６号および独国特許出願公開第１０２０１４１１３２５８号に開示されている。
【０００６】
例として、照明装置は、本出願による独国特許出願公開第３９０６５５５号に開示されている。
【発明の概要】
【発明が解決しようとする課題】
【０００７】
本発明の目的は、とりわけ、暗視野記録にも適した装置および方法を提供することである。
【課題を解決するための手段】
【０００８】
この点において、請求項１に記載の装置および請求項１８または１９に記載の方法が提供される。従属請求項はさらなる実施形態を定義する。
【０００９】
第１の態様によると、画像を記録するための装置であって、画像記録装置と、画像記録装置の光軸の周りに配置される照明装置と、を備え、照明装置は画像記録装置までの光の通過を容易にするための切り抜き部を有し、照明装置は複数の独立的に作動可能な照明部を有し、画像記録装置および照明装置は、画像記録装置の標本面の同じ側に配置され、標本面から見られる照明装置の隣接する照明部の間の角度は、画像記録装置の開口数によって画定される角度以下である、装置が提供される。
【００１０】
独立的に作動可能な照明部と共に、このように画像記録装置の光軸の周りに配置される、このような照明装置を使用することによって、とりわけ、異なる方向からの暗視野照明を実現することができる。上で画定されるような角度を選択することによって、とりわけ、個々の画像を組み合わせることによって後に分解能を増大させるために、異なる方向からの有利な照明を作り出すことができる。隣接する照明部の間の角度が、画像記録装置の開口数によって画定される角度以下のままである限り、種々の照明部に対して変えることができることは、留意されるべきである。例として、隣接する照明部の間の一定の距離の場合の角度は、画像記録装置の光軸からの距離が大きくなるにつれて小さくなる可能性がある、または、照明部の間の距離は、該角度が一定のままであるように選択可能である。他のタイプの変形も可能である。
【００１１】
ここで、照明装置の隣接する照明部の間の角度は、画像記録装置の開口数によって画定される角度より、少なくとも１０％、少なくとも２０％、少なくとも３０％、または少なくとも５０％小さくすることができる。
【００１２】
標本面からの画像記録装置の距離と標本面からの照明装置の距離との比率は、１〜１．５の範囲にあるとすることができるが、これに制限されない。
【００１３】
このように、これによって、照明装置および画像記録装置を、標本面から、ひいては標本から同様の距離で配置することができる。
【００１４】
複数の照明部は、複数の光源素子、例えば発光ダイオードを含むことができる。
【００１５】
複数の光源素子を使用することによって、照明を柔軟に設定可能である。とりわけ、異なる方向から、異なる角度で、複数の発光ダイオードを同時に起動させることによる照明は、異なる強度での実現も可能である。
【００１６】
光源素子は、個々に、および／またはセグメントごとに作動可能であることで、複数の独立的に作動可能な照明部を実現することができる。セグメントのサイズおよび形態は、例えば、セグメントを形成するために異なる数の光源素子を組み合わせることによって、可変であってよい。よって、例えば、このように、セグメント間の距離、および、照明装置の隣接する照明部の間の前述の角度を設定することができる。
【００１７】
ここで、異なる光源素子は、スペクトル範囲および／または偏光に関して種々の性質を有することができるため、異なるスペクトル範囲におけるまたは異なる偏光による照明によって画像記録をもたらすことができる。
【００１８】
個々の光源素子に対する代替策として、照明装置は、面光源、およびいずれの場合にも面光源の一部分を薄暗くするための、選択的に作動可能な付影要素を含むこともできる。ここで、面光源は平坦とすることができるが、湾曲または異なる形状にすることもできる。
【００１９】
照明装置は、内径および外径を有するリング状にすることができ、この場合、内径は切り抜き部を画定する。これによって、照明を異なる方向からもたらすことができる。
【００２０】
装置はさらなる照明装置を含むことができ、この場合、さらなる照明装置からの光は画像記録装置のビーム経路に結合可能である。これによって、明視野照明をさらに提供することができる。
【００２１】
さらなる照明装置は可動式光源素子を含むことができる。
【００２２】
代替的には、さらなる照明装置は複数の独立的に作動可能な照明部を含むことができる。
【００２３】
画像記録装置の開口数によって可能とされる領域内に異なる方向からのおよび／または異なる角度での明視野照明も提供できる。
【００２４】
照明装置および／またはさらなる照明装置は、例えば、標本面に平行なまたは垂直な面において可動とすることができる。この移動は、傾斜または回転移動も含むことができる。いくつかの例示の実施形態では、照明装置および／またはさらなる照明装置のさまざまな部分、例えばさまざまな照明部は、互いに対して可動とすることもできる。
【００２５】
装置は、さらなる画像記録装置を含むことができ、この場合、さらなる画像記録装置は、開口数、作動距離、倍率、および／または分解能の点で画像記録装置と異なっている。よって、種々の性質を有する画像を記録することができる。
【００２６】
画像記録装置に対して、さらなる画像記録装置は、標本面の反対側に配置可能である。それゆえに、透過光の記録および反射光の記録の両方を実行することができる。
【００２７】
装置は追加の照明装置を含むことができ、この追加の照明装置の光は、さらなる照明装置のビーム経路に結合可能である。よって、照明の点でより多くの変形のオプションが実現可能である。
【００２８】
装置はさらに、制御装置を含むことができ、ここで、制御装置は、さまざまな照明部を起動する目的で、異なる角度でおよび／または異なる方向から標本面における標本を照らすために照明装置を連続的に作動させるように、かつ照明装置のさまざまな作動に対して対応する複数の画像を得るために画像記録装置を作動させるように構成される。
【００２９】
異なる方向からの照明によって、とりわけ、照明が画像記録装置と同じ側に配置されていることによって生じる反射を補正することができる。
【００３０】
制御装置は、複数の画像を組み合わせて結果画像を形成するようにさらに構成可能である。
【００３１】
以下の１つまたは複数は、制御装置によって組み合わせる時に実行可能である。
−反射補正
−分解能の改良
−コントラストの改良
−標本のｚマップの判定
−位相コントラスト画像の判定
−被写界深度の改良
よって、改良された性質を有する画像を生じさせることが可能である。
【００３２】
制御装置は、結果画像の品質を評価するように、かつ、その評価に応じて、照明装置の連続的な作動および／または組み合わせ対象画像の選択を修正するように、さらに構成可能である。よって、組み合わせる時に得られる結果、およびオプションとして所望の結果に応じて、設定を動的に適応させることができる。
【００３３】
第２の態様によると、画像を記録するための方法であって、上述されるような装置を使用して複数の画像を記録することとであって、装置の照明装置の異なる照明部は複数の画像のさまざまな画像に対して起動させる、記録することと、複数の画像を組み合わせて、改良された画像性質を有する結果画像を形成することとを含む方法が提供される。
【００３４】
第３の態様によると、画像を記録するための方法であって、異なる照明方向による複数の画像を記録することと、複数の画像から組み合わせ対象画像を選択することと、組み合わせ対象画像における焦点ボケ画像成分を判定することと、組み合わせ対象画像を組み合わせて、反射を低減させた結果画像を形成することとを含み、焦点ボケ画像成分の少なくともいくつかは組み合わせる時に組み合わせ対象画像において省かれる、方法が提供される。
【００３５】
方法は、焦点ボケ画像成分が組み合わせ対象画像で同じ位置にあるかどうかを判定することをさらに含んでよく、組み合わせ対象画像で同じ位置ではない画像成分は、組み合わせ対象画像を組み合わせる時省かれる。
【００３６】
方法は、複数の画像からさらなる組み合わせ対象画像を選択することであって、さらなる組み合わせ対象画像は組み合わせ対象画像と異なっている、選択することと、さらなる組み合わせ対象画像を、これらの画像コントラストを増大させるように組み合わせることとをさらに含んでよい。
【００３７】
複数の画像からのさらなる組み合わせ対象画像を記録することは、さらなる組み合わせ対象画像を選択することによって引き起こされ得る。
【００３８】
方法は、さらなる組み合わせ対象画像を組み合わせるための組み合わせパラメータを提供するための最適化を実行することであって、組み合わせパラメータは、結果画像が最適化基準としての増大させた画像コントラストを満たすことを保証する、実行することをさらに含んでよい。
【００３９】
ここで、請求項１〜１７のうちいずれか一項に記載の装置の照明装置の種々の照明部は、異なる照明方向によって複数の画像のさまざまな画像に対して起動させることが可能である。
【図面の簡単な説明】
【００４０】
以下に、添付の図面を参照して、例示の実施形態によって本発明についてさらに詳細に説明する。
【図１】図１Ａは、１つの例示の実施形態による装置のブロック図を示す。図１Ｂは、図１Ａの例示の実施形態における照明部の配置構成を明らかにするための図を示す。
【図２】図２Ａは、１つの例示の実施形態による装置の概略断面図を示す。図２Ｂは、図２Ａの装置の照明装置の平面図を示す。
【図３】図３は、さらなる例示の実施形態による装置の断面図を示す。
【図４】図４は、さらなる例示の実施形態による装置の断面図を示す。
【図５】図５Ａは、さらなる例示の実施形態による装置の断面図を示す。図５Ｂは、図５Ａの例示の実施形態の照明装置の概略図を示す。
【図６】図６Ａおよび図６Ｂは、例示の実施形態による照明装置の概略図を示す。
【図７】図７Ａ〜図７Ｃは、図６Ａおよび図６Ｂの照明装置の可能な作動を明らかにするための説明図を示す。
【図８】図８は、さらなる例示の実施形態による装置の概略断面図を示す。
【図９】図９は、さらなる例示の実施形態による装置の概略断面図を示す。
【図１０−１２】図１０〜図１２は、さまざまな実装例の詳細図を示す。
【図１３】図１３Ａおよび図１３Ｂは、いくつかの例示の実施形態による方法を明らかにするためのフローチャートを示す。
【図１４−２１】図１４〜図２１は、異なる例示の実施形態の効果を明らかにするための例示の画像を示す。
【発明を実施するための形態】
【００４１】
本発明のさまざまな例示の実施形態について以下に詳細に説明する。これら例示の実施形態は、制限的なものとして解釈されるべきではなく、単に説明の目的としての役割を果たす。とりわけ、複数の特徴または要素を有する例示の実施形態の説明は、これらの特徴全てが例示の実施形態を実施するために必要であるという意味で読み取られるべきではない。もっと正確に言えば、他の例示の実施形態は、示されるおよび／または代替的な特徴より少ない特徴を有する場合がある。また、示されかつ提示される特徴および要素、例えば、画像を記録するための従来の装置において使用される要素に加えて、さらなる特徴および要素が提示可能である。
【００４２】
種々の例示の実施形態の特徴または要素は、別段指示されない限り、互いに組み合わせ可能である。例示の実施形態のうちの１つに対して説明される変形および修正は、指定されるものが何もないなら、他の例示の実施形態に適用可能であってもよい。
【００４３】
図１Ａは、１つの例示の実施形態による装置のブロック図を示す。図１Ａの例示の実施形態において、画像記録装置１４は、標本面１１に配置される標本１２の画像を記録する働きをする。ここで、装置１０の画像記録装置１４は、画像センサが結合されている顕微鏡対物レンズを含むことができるが、さらにまたは代替的には、巨視的オーバービュー画像を製作するためのカメラ装置も含むことができる。よって、本発明の応用は巨視的画像または顕微鏡画像に制限されず、両方のタイプの画像に適用可能である。
【００４４】
画像記録装置１４と標本面１１との間の距離はＨｏｂｊで示される。例として、この距離は、標本面１１から、標本に最も近くにある画像記録装置１４のレンズまで、または、画像記録装置１４の任意の他の適した部分まで測定可能である。
【００４５】
さらに、図１Ａの装置１０は照明装置１３を有する。照明装置１３は、個々におよび／またはグループ（セグメントとも称される）で作動可能である複数の光源素子、例えば発光ダイオードを含むことができ、上記の光源素子は、実質的に、画像記録装置１４の同心円状に配置されている。１つの例示の実施形態では、光源素子は、画像記録装置１４の光軸に対して対称的に配置されることで、それぞれの光源素子が、仮想線上にある割り当てられた相補的な光源素子を有するようにし、この仮想線は、光源素子、該光源素子に相補的な光源素子、および光軸を通過し、光源素子および相補的な光源素子は光軸から同じ距離にある。
【００４６】
個々の光源素子の代わりに、照明装置１３は、面光源、および面光源の個々の一部分を選択的に薄暗くするために作動可能な付影要素を有することもできる。この結果として、実質的に、個々の光源素子によるのと同じ作動性を達成することができる。
【００４７】
ここで、図１Ａに示されるように、照明装置１３は、標本１２からの光の通過を容易にするために、ひいては、画像記録装置１４による標本１２の画像の記録を容易にするために開口部を有することができる。ここで、標本面１１からの照明装置１３の距離は、図１においてＨで示されている。画像記録装置１４および照明装置１３が標本面１１の同じ側に配置されるため、照明が反射（透過光照射に対するコントラスト）をもたらすことは、図１から明らかである。ここで、ＨｏｂｊとＨとの比率は１〜１．５の範囲にあるとすることができるが、これに制限されない。
【００４８】
例示の実施形態では、個々に作動可能な隣接する照明部、例えば、個々の光源素子、付影要素、またはこれらのグループの間の距離は、この場合、画像記録装置１４の開口数に適合するように選択される。このことについて、図１Ａの一部を示す図１Ｂを参照して説明する。
【００４９】
図１Ｂにおいて、１３Ａおよび１３Ｂは照明装置１３の２つの隣接する照明部を指すが、これは単に例とみなされるべきである。標本面１１におけるある点から見られるこれらの照明部の間の角度は１８で示される。画像記録装置１４の開口数に割り当てられる標本面におけるこの点の角度は１７で示される。例示の実施形態では、照明部は、角度１７が角度１８以下になるように、好ましくは、１０％少なく、２０％少なく、３０％少なく、または５０％少なくなるように配置および／または選択される。このことは、後述されるように、画像を組み合わせて分解能を増大させる時に有利である。異なる照明部１３Ａ、１３Ｂに対する角度１８が、画像記録装置の開口数によって画定される角度１７以下のままである限り、変えることができることは、留意されるべきである。例として、隣接する照明部１３Ａ、１３Ｂの間の一定の距離の場合の角度は、画像記録装置１４の光軸からの距離が大きくなるにつれて小さくなる可能性がある、または、照明部１３Ａ、１３Ｂの間の距離は、該角度が一定のままであるように選択可能である。他のタイプの変形も可能である。
【００５０】
図１の例示の実施形態では、照明装置１３は制御装置１５によって制御される。例として、制御装置１５は、適切にプログラミングされたコンピュータとして、または、適切にプログラミングされたマイクロコントローラとして実装可能である。しかしながら、ソフトウェア、ファームウェア、ハードウェア、またはこれらの組み合わせでの他の実装形態も可能である。
【００５１】
さらに、制御装置１５は、画像記録装置１４を制御し、かつこの画像記録装置１４から画像を受信する。
【００５２】
画像を記録する目的で、制御装置１５は、とりわけ、標本１２が照明装置１３の種々のセグメントによって連続的に照らされるように照明装置１３を作動させることができる。その結果として、標本１２は異なる方向からおよび／または異なる角度で連続して照らされる。画像は、これらの照明方向および／また照明角度のそれぞれに対して画像記録装置１４によって記録される。制御装置１５は、これらの画像を組み合わせて、例えば、鮮明度、コントラスト、または反射の点で、個々の画像と比較すると改良された性質を有する結果画像を形成する。画像の適した組み合わせによって、計算によって結果画像から反射を少なくとも大部分除去することができる。上記の反射は、照明装置１３の照明から（すなわち、照明が画像記録時に標本の同じ側からもたらされることによって）生じるため、これによって画像品質を改良できる。この目的に向けた例については、さらに以下でより詳細に説明する。結果画像および／または個々の画像は、ディスプレイ１６上に提示可能である、および／または後の使用のために記憶可能である。
【００５３】
このような装置１０の詳細な例示の実施形態について、ここで図２〜図５を参照してより詳細に説明する。これらの図では、図１の制御装置１５およびディスプレイ１６などの制御装置およびディスプレイを表すことは省略されている。しかしながら、このような構成要素はまた、図２〜図５の例示の実施形態において提供可能である。この点で、図２〜図５の例示の実施形態は、画像記録装置、とりわけ、利用される照明装置に的をしぼっている。
【００５４】
図２Ａの例示の実施形態では、標本の画像を記録するためのカメラユニット２０が設けられており、ここで、標本は標本面２２に配置されるものとする。カメラユニット２０の標本面２２からの距離は、図１にあるようにＨｏｂｊで示される。図２のカメラユニット２０は光学ユニットおよび画像センサを含む。また、照明装置２１は、異なる方向からおよび／または異なる角度で標本面２２における標本を照らすことができるように設けられる。照明装置２１の標本面２２からの距離はＨで示される。図１のように、画像記録装置のカメラユニット２０および照明装置２１はこのように標本面２２の同じ側に配置される。ここで、図１にあるように、ＨｏｂｊとＨとの比率は１．５〜１の範囲にあるとすることができるが、これに制限されない。
【００５５】
図２Ｂは、標本面２２に平行なｘｙ面における照明装置２１の平面図を示す。図２Ｂの例示の実施形態において、照明装置２１は、半径Ｒｉｎを有する、中央が切り抜かれた円板状になっている。円板の半径はＲｏｕｔである。複数の個々の光源素子、例えば、発光ダイオードは、円板の領域において配置可能である。しかしながら、例えば、セグメントまたは一部分を選択的に起動するまたは動作停止にすることができるように、個々の切り換え可能な画素を有する面照明、例えば、面ＯＬＥＤ照明、または任意の他のタイプの照明が可能である。照明装置のある特定の点、例えば、光源素子のある位置までの半径は、ｒで示される。ここで、Ｒｉｎ≦ｒ≦Ｒｏｕｔがあてはまる。ここで、外半径Ｒｏｕｔは、垂直方向（図２Ａにおけるｚ軸）に対して測定される最大照明角度を定める。Ｒｏｕｔが大きいほど、利用される照明角度は大きくなり得る。内径Ｒｉｎは、対物レンズ２０の前部寸法、カメラユニット２０と照明装置２１との間の距離、および、標本面２２に配置された標本をカメラユニット２０が観測する角度に左右される。
【００５６】
照明装置２１のより具体的な例については、さらに、図６および図７を参照して以下により詳細に説明する。その結果として、照明装置２１はまた、暗視野照明の役割を果たすことができるが、これは、直接的な反射（入射角＝反射角）がカメラユニット２０に達しないからである。
【００５７】
図２Ｂにおける照明装置２１の形態は、例示されるようなものとして理解されるものとし、他の形態、例えば、正方形、長方形、楕円形、星形、または他の基本的な形態を使用することも可能であり、この照明装置２１上に、個々の光源素子が分布される、またはこの照明装置２１は個々の切り換え可能セグメントを含有する。照明の光源素子またはセグメントを選択的に起動および作動停止させることによって、異なる方向からの、異なる角度での、および／または異なる強度による（例えば、異なる数の光源素子を起動することによる）照明を実現することが可能である。複数の対物レンズまたは複数の他の画像記録装置がある配置構成において使用される場合、複数の開口部または切り抜き部が可能である。切り抜き部の形態は変えることもでき、例えば、その形態、および利用される対物レンズまたは利用される他の画像記録装置の寸法に適応させることができる。光源素子の平面以外の配置構成も可能である。
【００５８】
図３〜図５は図２の装置の展開を示す。繰り返しを回避するために、同じ要素は同じ参照記号によって示され、繰り返し説明されることはない。図１および図２を参照して論じた変形および展開はまた、図３〜図５に応用可能である。
【００５９】
図３において、対物レンズ３０および画像センサ３１は、画像記録の目的でカメラユニット２０の代わりに提示されている。例として、対物レンズ３０は、顕微鏡画像を記録するための顕微鏡対物レンズ、あるいは巨視的オーバービュー画像を記録するための従来の対物レンズとすることができる。その他の場合、図３の例示の実施形態は、図２Ａの例示の実施形態に対応する。
【００６０】
図４の例示の実施形態において、照明装置２１に加えて、上述されるように、暗視野測定のための照明を作り出すことができるさらなる照明装置４０が提供される。照明装置４０からの光は、ビームスプリッタ４１によって対物レンズ３０に反映され、その結果として、標本の同軸上の明視野照明としての役割を果たすことができる。図４の例示の実施形態では、照明装置４０は、その過程で単一の光源によって実現され、上記の単一の光源は、例えば、異なる方向からの明視野照明を実現するために移動可能である。個々に切り換え可能である、複数の個々の光源を使用することも可能である。
【００６１】
さらなる照明装置５０を有するさらなる例示の実施形態が図５Ａに示されている。図５Ｂはさらなる照明装置５０上の平面図を示す。図５Ｂの場合、該装置は実質的に円板状に実装され、ここで、複数の個々の個別の光源素子、例えば発光ダイオードが円板上に分布可能である。他の例示の実施形態では、さらなる照明装置５０は、個々の切り換え可能な光点を有するディスプレイ、例えば、ＯＬＥＤディスプレイとすることができる。異なる光源を選択的に起動することによって、さらにまた、異なる方向からの明視野照明を生じさせることができる。さらなる照明装置５０からの光は、図４にあるように、ビームスプリッタ３０を介して対物レンズ３０に反映される。さらなる照明装置５０の個々の光源素子は、互いに対して任意の順序または配置構成にすることができ、異なる寸法にする、または異なる立体角を照らすこともできる。個々の光源素子は、互いに、および／または照明装置５０の中心点から、光源素子のグループまたは個々の光源素子の一定のまたは変化する距離を有する、長方形格子または円形格子で配置可能である。さらなる照明装置５０は平面または平面要素の組み合わせとすることができる、あるいは、光源素子が配置される球形または非球形とすることができる。さらなる照明装置５０の光源素子の寸法は、光学ユニット３０の後ろ側焦点面を、いっぱいにする、いっぱいには達しない、またはこれを超えて突出するように選択可能である。さらなる照明装置５０の個々の光源素子は、全て、明視野測定などのある特定の測定、コントラストの改良、または標本に関するｚ情報項目を得ることに対する要件に応じて、同時に、個々に、またはグループで、起動させるおよび作動停止にすることができる。
【００６２】
図４および図５のさらなる照明装置４０、５０は、例えば、種々の測定のために照明装置２１から独立して作動可能である、または、組み合わせた明視野照明および暗視野照明を実現するために照明装置２１と共に作動可能である。このことは、コントラストの改良、分解能の増大、および／または後述される被写界深度範囲の増大には有利である場合がある。
【００６３】
例として、明視野照明は、照明装置２１に相補的である照明角度が実現されることによって、さらなる照明装置４０または５０を使用してもたらされ得、この角度に基づいて、さらなる画像は後の分解能の改良のために記録可能である。いくつかの例示の実施形態では、先述されるように、対物レンズ３０からの異なる照明角度を実現するために、照明装置４０は移動可能である、または照明装置５０は種々のセグメントで作動可能である。
【００６４】
照明装置２１および／またはさらなる照明装置４０もしくは５０は、同じスペクトル範囲における光源素子、または異なるスペクトル性質を有する個々の光源素子の異なる組み合わせを有することができる。これらの光源素子が個々に作動可能であることによって、このような場合、照明のスペクトル成分を選択的に修正することも可能である。いくつかの例示の実施形態では、異なる光源素子は、放射光の異なる偏光、および／または放射光線の異なる発散を有することができることで、要件に従って照明を変えることができるようにする。
【００６５】
照明装置２１および／またはさらなる照明装置４０、５０は、例えば、標本面に平行なまたは垂直な面において移動可能とすることができる。この移動は、傾斜または回転移動も含むことができる。いくつかの例示の実施形態では、照明装置２１および／またはさらなる照明装置４０、５０のさまざまな一部分、例えばさまざまな照明部はまた、互いに対して移動可能とすることができる。
【００６６】
次に、照明装置、とりわけ、光源素子のリング状配置構成を有する、図２Ａに示される照明装置２１のような照明装置の例について、図６および図７を参照してより詳細に説明する。
【００６７】
図６Ａは、図２Ｂを参照して既に論じたように、複数の発光ダイオード６１がリング状に配置される照明装置６０を示す。照明装置６０において、個々の発光ダイオード６１は、この場合、ｘ方向における均一の距離ｄｘ、およびｙ方向における均一の距離ｄｙで配置される。ｄｘはｄｙに等しいまたは等しくないようにすることができる。示される例示の実施形態において、合計６３１の発光ダイオードが設けられ、この場合、他の例示の実施形態において他の数の発光ダイオードも使用可能である。とりわけ、発光ダイオードは白色光の発光ダイオードとすることができるが、着色発光ダイオード（例えば、赤、緑、および／または青の発光ダイオード）も含むことができる。例として、ｄｘおよびｄｙは、およそ２〜２．５ｍｍの範囲で選択可能である。例として、発光ダイオードの間の距離は、図１Ｂを参照して上で説明したように、画像記録装置、例えば、図３〜図５における対物レンズ３０、または図２Ａにおけるカメラユニット２０の開口数に適合するように選択可能である。例として、前述の値の２．５ｍｍは、例えば、オーバービューカメラの場合に、０．００５の領域において比較的小さい開口数に適合できる。より長い距離は、より多い開口数の場合に発光ダイオードの間で選択できる、あるいは、発光ダイオード６１のいくつかだけを使用することができる。発光ダイオードの代わりに他の光源素子を使用することも可能である。
【００６８】
発光ダイオード６１のセグメントは、一部の測定のために合わせて起動させるまたは作動停止にすることができる。例として、図６Ｂは、１から８までの番号が振られた８つのセグメント６２を示す。それぞれのセグメントの発光ダイオードは、一部の測定のために合わせて起動させるおよび作動停止にすることができる。示される例では、セグメント２、４、５、および７はそれぞれ、１０×１０の発光ダイオードを含むことができ、セグメント１、３、および６はそれぞれ、５８の発光ダイオードを含むことができ、セグメント８は５７の発光ダイオードを含むことができる。しかしながら、これらの数値は例としての役割を果たすだけであり、照明装置の構成に応じて、異なる数の光源素子によるセグメントへの異なる分割を使用することも可能であり、これはまた動的に適応可能である。このことについては、図１３Ｂを参照して後述する。
【００６９】
顕微鏡画像における改良したコントラストまたはコントラストの計算による結果画像を実装できるようにするために、複数の画像は、セグメント６２の異なる１つがそれぞれの画像に対して能動的である例示の実施形態において、連続して記録される。次いで、これらの画像は、例えば、コントラストを増大させた結果画像を得るために組み合わせ可能である、または、コントラストを判定するために評価可能である。図６Ｂにおけるセグメントへの分割は、同様に、例としての役割を果たすだけであり、例えば、異なる数のセグメントによる異なる分割を使用することも可能である。
【００７０】
他の場合では、例えば、複数の異なる角度で異なる方向からの照明を実現するために、より小さいセグメントまたは個々の発光ダイオードを順番に切り換えることも可能である。図７Ａ〜図７Ｃにおいて、発光ダイオードが、矢印で指示されるように、行の配置に従って連続的に起動される例が示されている。よって、発光ダイオード７０Ａは図７Ａにおいて起動され、その後を示す図７Ｂにおいて発光ダイオード７０Ｂは起動され、発光ダイオード７０Ｃはさらにその後に起動され、これは図７Ｃに示される。行に従った連続的起動の代わりに、列に従った連続的起動、あるいは発光ダイオードのランダムな連続的起動とすることもできる。
【００７１】
起動されるおよび作動停止される個々の光源素子によるこのような照明は、例えば、自動焦点設定、対物レンズの焦点を再び合わせる、または被写界深度を増大させる目的で、分解能を改良するまたは標本の高さプロファイル（すなわち、ｚ情報）を定める役割を果たすことができる。ここでも、異なる角度および／または異なる方向から照らされる複数の画像を記録することが可能であり、対応する結果画像は画像を組み合わせることによって生じさせることが可能である。この点でも、詳細については、さらに、以下により詳細に説明する。
【００７２】
さまざまな光源素子のスイッチを入れることによって、既に上で説明したように、異なる方向および角度からの照明を実現することができる。ここで、それぞれの発光ダイオードは具体的な角度および具体的な位置を画定する。以下に提示される表は、発光ダイオード配置構成６１の最初の１０個の発光ダイオード、すなわち、最上行の発光ダイオードについての例を示す。ここで、ｒは図２Ｂに記入されるように半径を示し、Ｈは、図１から図５に同様に記入されるように、照明装置と標本面との間の距離を示す。さらに、シータは照明角度を示し、Ｒは標本面とのシステムの光軸の交差点からの光源の距離を示す。照明角度シータは照明の開口数を定義し、これは表における照明開口数で示される。
【００７３】
【表１】
0006655188.tif 000002
【００７４】
照明が画像記録と同じ標本の側からもたらされる、上で論じた装置は、標本が対応するもう１つの側から記録される、１つまたは複数のさらなる画像記録装置と組み合わせ可能である。ここで、これに対する例について、図８および図９を参照して説明する。ここで、図８は図５Ａの例示の実施形態に基づいており、図９は図３の例示の実施形態に基づいている。対応するように、追加の画像記録装置も、図１、図２、または図４の例示の実施形態において提供可能である。既に上で論じた図３および図５Ａの例示の実施形態における要素に対応する図８および図９の要素は、同じ参照記号で示されており、再び詳細に説明することはない。図８および図９において、Ｈｏｂｊ１は、標本面２２と対物レンズ３０との間の距離を示し、それゆえに、図１〜図５の距離Ｈｏｂｊに対応する。
【００７５】
図８の例示の実施形態では、さらなる画像センサ（ここでは示されていない）を有するさらなる対物レンズ８０は対物レンズ３０に加えて設けられており、さらなる対物レンズ８０は、標本面２２に対して対物レンズ３０の反対側に配置されている。ここで、例えば、対物レンズ３０は比較的低い開口数を有する可能性があり、オーバービュー記録を記録する役割を果たすことができる。照明装置２１および／またはさらなる照明装置５０によって、上述されるように、さまざまな方向からの照明を実現することが可能であり、そして、複数の記録された画像に基づいて結果画像を計算することができ、コントラストは改良される、および／または照明による反射は上記の結果画像において補正される。対物レンズ８０は、より高い開口数を有することができ、複数の画像を同様に記録でき、ここで、原則として、照明装置２１および５０は照明の目的としての役割を果たすことができる。この場合、透過光画像は、さらなる対物レンズ８０によって記録される。他の例示の実施形態では、さらなる対物レンズ８０は専用の照明装置（図８では示されていない）を有することができる。
【００７６】
対物レンズ３０および対物レンズ８０は、作動距離、倍率、開口数、および／または分解能の点で互いに異なっているため、異なる画像性質を有する画像を得ることができる。追加の対物レンズ８０によって、とりわけ、透明または半透明の標本の透過光画像を得ることができ、オプションとして、明視野照明または暗視野照明による反射光画像は、対物レンズ３０によって得られ得る。異なる角度の照明を、両方のケースで得ることができる。
【００７７】
図９は、図８の例示の実施形態の代替策を示し、ここで、さらなる照明装置５０およびビームスプリッタ４１は対物レンズ３０において省かれており、代わりに、追加の照明装置９１およびビームスプリッタ９０がさらなる対物レンズ８０に設けられている。原則として、さらなる照明装置５０と同じ構成を有することができる追加の照明装置９１によって、対物レンズ３０に対する明視野における透過光照明、および／または対物レンズ８０に対する反射光明視野照明が可能である。さらなる照明装置９１による照明は、とりわけ、対物レンズ３０の比較的小さい画像部に対する照明を提供できる。さらなる対物レンズ８０による、すなわち、さらなる照明装置９１による照明に対する利用可能な角度の範囲は、対物レンズ８０の開口数によって画定される。そのように照らすことが可能である対物レンズ３０の視野の成分は、標本面、照明装置９１、または対物レンズ８０の横方向の変位によって増大させることができる。
【００７８】
さらなる例示の実施形態について、ここで、図１０〜図１２を参照して説明する。図１０Ａは例示の実施形態による顕微鏡装置１００を示し、図１０Ｂは図１０Ａの顕微鏡装置１００の詳細図を示す。図１０において、対物レンズ１０３は照明装置１０１を備え、この照明装置１０１は、照明装置６０について図６および図７を参照して説明されるように構成される。ここで異なるセグメントまたは発光ダイオードを、照明装置１０１において選択的に起動させることができる。例として、対物レンズ１０３は、比較的低い開口数を有する可能性があり、オーバービュー画像を記録する役割を果たすことができる。そして、より高い開口数を有するさらなる対物レンズ１０２は詳細な画像を記録する役割を果たすことができる。ここで、図１０の例示の実施形態では、対物レンズ１０２は、対物レンズ１０２を中心にリング形で同心円状に配置される、個別の光源素子１０４、例えば発光ダイオードを備える。異なる方向からの照明はまた、光源素子１０４によって実現可能である。
【００７９】
次いで、動作中、対物レンズ１０３によって一連のオーバービュー画像が記録可能であり、ここで、照明装置１０１は、異なる方向および／または異なる角度から照らすために作動させる。これらの画像を組み合わせることによって、例えば、比較的低い分解能による反射のないオーバービュー画像、改良されたコントラストを有する反射のないオーバービュー画像、画像を組み合わせることによる改良された分解能を有する反射のないオーバービュー画像、または、改良された分解能および改良されたコントラストを有する反射のないオーバービュー画像をもたらすことができる。これと並列にまたは連続的に、対物レンズ１０２は詳細な記録を作り出すことができ、この場合、照明は、異なる光源素子１０４を起動することによって同様に変えることができ、その後、コントラストおよび／または分解能は改良可能である、および／または反射は個々の画像を組み合わせることによって補正可能である。個々の工程、すなわち、とりわけ、個々の画像記録は、次いで、速度、画像品質、および能力に関する要件に応じて対応するタスクに対して最適化可能である。
【００８０】
図１１は、照明装置１１１と組み合わせることができるさまざまな顕微鏡対物レンズ１１２、１１３、１１４を示し、この照明装置１１１は図６および図７の照明装置６１に対応するやり方で構成可能である。これらの対物レンズ１１２、１１３、および１１４は、顕微鏡１１０で使用可能である。例として、対物レンズ１１２は５倍の対物レンズとすることができ、対物レンズ１１３は１．６倍の対物レンズとすることができ、対物レンズ１１４は０．５倍の対物レンズとすることができる。とりわけ、照明装置１１１は、０．５倍の対物レンズの前部レンズ直径に合致させることができるが、他の対物レンズに対しても使用可能である。また、例えば、図２Ａに示されるような異なる内径および外径を有する、異なる対物レンズに対して異なる照明装置を設けることができる。
【００８１】
図１２Ａ〜図１２Ｃは、今度もまた、図６および図７の照明装置６１のように構成可能である対応する照明装置１２０と、顕微鏡１２２に設置する対物レンズ１２１とのさらなる組み合わせを提示している。よって、本発明による照明装置は、異なる対物レンズおよび顕微鏡システムで使用可能である。
【００８２】
既に上で説明したように、異なる照明装置および／または異なる照明角度によって複数の画像を記録することによって、画像の改良が得られ得る。このことについて、図１３〜図２０を参照して以下に説明する。
【００８３】
図１３Ａは、図１〜図１２の装置の助けを借りて実行可能である対応する方法のフローチャートを示す。とりわけ、図１３Ａの方法に対する制御および計算は、図１の制御装置１５においてもたらされ得る。
【００８４】
図１３Ａの方法のステップ１３０において、複数の画像は、異なる照明方向および／または異なる照明角度によって記録される。この目的で、例えば、既に上で説明したように、照明装置のさまざまな光源素子、または光源素子のグループ／セグメントを順に起動すること、および、いずれの場合にも、それぞれの照明に対する１つまたは複数の画像を記録することが可能である。ステップ１３１では、改良された画像性質を有する結果画像は、複数の画像から生じさせる。とりわけ、反射を除去することが可能であり、コントラストを改良することが可能であり、画像のｚマップ、すなわち、高さプロファイルを作り出すことが可能であり、および／または分解能を改良することが可能である。
【００８５】
その過程で、どの画像部分がいずれの場合にも「焦点ボケ」であるかを、すなわち、反射を除去する目的で、この画像部分において、例えば、純白が存在する（または、全ての色チャネル、例えば、赤、緑、青が色画像の場合最も高い値に基づく）ことを判定することが可能である。これら画像部分の領域が異なる画像において同じ位置にない場合に、これら画像部分は反射部分であることを判定することが可能である。そして、結果画像を生じさせるために複数の画像を組み合わせる時、例えば、平均化することによって複数の画像の組み合わせを使用することが可能であり、ここで、例えば、上で特定される焦点ボケ領域はそれぞれ、無視される（省かれる）ことで、ある特定の焦点ボケ領域が画像のうちの１つに存在する場合、残りの画像のみがこの領域に対して使用されるようにする。
【００８６】
本出願人による独国特許出願公開第１０２０１４１１３２５６号において詳細に説明されるような反射補正を行うことも可能である。ここでも、複数の画像は異なる照明形状に対して記録され、付影動作は反射抑制の目的で画像の一部に適用され、上記の付影動作は照明形状、すなわち、各画像を記録する時に利用される照明方向および照明角度に左右される。そのように生じた修正済み画像は、結果画像を形成するために組み合わせ可能である。
【００８７】
例として、画像におけるｚ位置は、独国特許出願公開第１０２０１４１０９６８７号または独国特許出願公開第１０２０１４１１３４３３号において説明されるように定められ得る。ここで、複数の異なる照明方向から、とりわけ焦点がぼけるように照明がもたらされ得る。この場合、照明方向に応じてイメージ化された物体の位置は、これらのｚ位置に応じて変化する。そして、ｚマップは照明方向に応じて物体の変位から作り出され得る。このｚマップは次いで、さらなる画像改良の目的で、例えば、以下で説明されるものに対して、適用可能である。
【００８８】
例として、分解能、鮮明度、およびコントラストの改良は、独国特許出願公開第１０２０１４１１３２５８号に説明されるように行うことが可能である。その過程で、この場合、異なる照明形状、異なる照明方向および／または照明角度で強度画像は記録され、結果画像を生じさせるために組み合わせられる。
【００８９】
また、独国特許出願公開第１０２０１４１１２６４８号に説明されるようにゆがみを加えることが可能である。さらに、独国特許出願公告第１０２０１５１０７５１７号に説明されるように被写界深度を増大させることが可能である、および／または独国特許出願公開第１０２０１４１１２２４２号に説明されるように位相コントラスト画像を生じさせることが可能である。前述の方法は、個々に、あるいは、互いに組み合わせて適用可能である。
【００９０】
方法は、ここで図１３Ｂを参照して説明されるように、動的に適応可能である。図１３Ｂは、図１３Ａの方法を拡張して構成し、かつ、図１の制御装置１５において同様に実装可能であるさらなる方法のフローチャートを示す。
【００９１】
ステップ１３２において、照明パターンによる照明順序が設定される、すなわち、照明部（上述されるように、個々の光源素子あるいはセグメント）が起動される順序が設定される。これは、方法の目的（例えば、上述されるように、分解能を増大させること、反射を補正することなど）に応じて実行可能である。次いで、ステップ１３３において、一連の画像は照明順序に従って記録される。
【００９２】
その後、画像系列からの画像は、ステップ１３４において後の組み合わせのために選択される。これは、画像系列の画像全てとすることができるが、数個の画像のみとすることもできる。またしても、これは方法の目的に応じてもたらされてよい。
【００９３】
そして、ステップ１３４において選択された画像に基づいて、結果画像はステップ１３５で判定される。これは、図１３Ａを参照して上述される方法の応用で実行可能である。
【００９４】
ステップ１３６では、結果画像の品質が満足のいくものである（例えば、満足のいく画像鮮明度、十分に補正された反射など）かどうかに関しての評価が実行される。これが満足のいくものであれば、結果画像はステップ１３７において出力される。その他の場合、以下の２つのオプションがあり、これらはまたは組み合わせ可能である。
−矢印１３８に対応して、ステップ１３４に戻って、画像選択は修正される可能性がある。例として、いくつかの画像は省かれる可能性がある。
−矢印１３９に対応して、ステップ１３２に戻って、照明順序は修正される可能性がある。例として、図１Ｂにおける角度１８を修正するように、セグメントのエッジにおける光源素子を起動するまたは作動停止にすることによって利用されたセグメントの寸法および距離を修正することが可能である。
【００９５】
このように、照明順序および／または画像選択を要件に動的に適応させることが可能である。
【００９６】
以下に、このような画像改良の動作モードについて、図１４〜図２０に基づいて例示の画像を使用して説明する。
【００９７】
図１４は、補正されなかった例示の画像を示し、ここで、例えば、図６および図７の照明装置６１などの照明装置の発光ダイオード全てが起動される。はっきりとしたスポット反射が図１４において例示の画像の中央要素１４０において可視である。また、リング状の反射は、左上に配置された要素１４１（ガラス半球体）において発生する。
【００９８】
図１５〜図１７は、図１４に示される配置構成の記録されたさまざまな画像系列を示し、照明は図１５〜図１７のそれぞれにおいて画像ごとに変わる。図１５Ａおよび図１５Ｂは、２つの異なる照明に対する２つの画像を示す。例として、光源素子の半分はここでいずれの場合でも起動され得る。例として、中央要素１４０における反射が次いで、異なる場所で発生し、要素１４１における反射も変化することを見ることが可能である。
【００９９】
図１６Ａ〜図１６Ｂは、例えば、図６および図７の照明装置６１の発光ダイオードの４分の１がいずれの場合にも起動される、４つの異なる照明に対する記録を示す。例えば、図１６Ｂおよび図１６Ｃにおける中央要素１４０において何の反射も発生しないことを見ることが可能である。
【０１００】
最後に、図１７Ａ〜図１７Ｈは、例えば、図６Ｂに示される８つのセグメントが連続して起動された、８つの異なる照明による記録を示す。ここでも、反射は画像ごとに変化する。
【０１０１】
その結果として、上述されるように画像を組み合わせることによって反射を抑制することが可能である。図１８は、異なる照明による複数の画像を組み合わせることによって得られる画像を示し、ここで反射補正が実行されている。要素１４０および１４１においてもはや可視の反射はなく、要素が明確に特定可能であることが明らかである。図１８にあるような画像は、実質的に、図１５〜図１７の画像セットのそれぞれから得られ得る。
【０１０２】
図１９は、顕微鏡コントラストを、複数の画像を組み合わせることによって増大させた画像を示す。この目的で、図１５〜図１７の個々の画像を使用することが可能であり、この結果は、個々の画像の利用されたグループに応じて変わる可能性がある。
【０１０３】
図２０は、異なる照明によって記録された複数の画像を組み合わせることによって得られた位相コントラスト画像を示す。例として、画像における右下にイメージ化された金属リング２００における表面不均質性は、位相コントラスト画像においてよりよく特定可能であり、ガラス球体である要素１４１における体積欠陥が可視になる。
【０１０４】
図２１Ａ〜図２１Ｆは、利用された対物レンズの開口数に対応する値を上回る分解能の改良を示す。図２１Ａ〜図２１Ｃは、開口数が低い光学ユニットを使用して得られた画像を示し、ここで、さらに、照明装置の発光ダイオードの反射は記録済み領域における画像に悪影響を与える。ここで、図２１Ｂは図２１Ａの拡大された一部であり、図２１Ｃは図２１Ｂの拡大された一部である。図２１Ｄ〜図２１Ｆは、より高い開口数に対応するより高い光学的分解能によって得られた、図２１Ｃの一部の記録を示す。分解能は図２１Ｄから図２１Ｆまで改良されている。図２１Ｃの対物レンズによって記録された複数の画像が異なる照明設定で組み合わせられる場合、対応する効果が得られ得る。分解能を増大させることによって、デジタルズームの可能範囲を、とりわけ、オーバービュー画像の場合に、増大させることも可能である。
【０１０５】
それゆえに、異なる照明で記録された複数の画像を組み合わせることによって画像性質を改良した結果画像を得ることが可能である。
【０１０６】
図１４〜図２１に示される画像は単に説明の目的としての役割を果たすものであり、実際に得られた結果は、記録状態に応じて、利用された対物レンズに応じて、利用された照明に応じて、および、個々の画像の組み合わせのタイプに応じて、変わる可能性がある。
【図１】
0006655188.tif 000003
【図２】
0006655188.tif 000004
【図３】
0006655188.tif 000005
【図４】
0006655188.tif 000006
【図５】
0006655188.tif 000007
【図６】
0006655188.tif 000008
【図７】
0006655188.tif 000009
【図８】
0006655188.tif 000010
【図９】
0006655188.tif 000011
【図１０】
0006655188.tif 000012
【図１１】
0006655188.tif 000013
【図１２】
0006655188.tif 000014
【図１３】
0006655188.tif 000015
【図１４】
0006655188.tif 000016
【図１５】
0006655188.tif 000017
【図１６】
0006655188.tif 000018
【図１７】
0006655188.tif 000019
【図１８】
0006655188.tif 000020
【図１９】
0006655188.tif 000021
【図２０】
0006655188.tif 000022
【図２１】
0006655188.tif 000023